(57)【要約】      （修正有）【課題】商品購入者が応募と同時に当落を確認できると共に、当選した場合には確実に景品を受領できる方法及びシステムの提供。【解決手段】商品識別番号とＵＲＬが記録されたＱＲコード（登録商標）とを商品又は／及び商品パッケージに表示する手順と商品識別番号の中から当選識別番号を選定し、景品の種類と共に、管理コンピュータに記録後、商品を出荷する手順と前記商品の出荷後、商品購入者端末からＱＲコード（登録商標）入力を受けたとき、購入商品の商品識別番号入力ページを商品購入者端末に表示する手順と商品識別番号の入力を受けたとき、当該商品識別番号が当選識別番号か否かを検索し、その当落結果を商品購入者端末に表示する手順と商品識別番号が当選識別番号であった場合には、景品の種類と景品発送申し込みページを商品購入者端末に表示する手順と景品届け先の住所及び氏名の入力を受けたときに、景品を発送する手順とを有する景品の提供方法。【選択図】図２
2011150562.tif 000002
【特許請求の範囲】
【請求項１】
（１）商品識別番号と、ＵＲＬが記録されたＱＲコードとを商品又は／及び商品パッケージに表示する手順と、
（２）前記商品識別番号の中から当選識別番号を選定し、景品の種類と共に、管理コンピュータのメモリ部に記録した後、商品を出荷する手順と、
（３）前記商品の出荷後、商品購入者端末からＱＲコード入力によりアクセスを受けたときに、管理コンピュータにより購入した商品の商品識別番号入力ページを商品購入者端末に表示する手順と、
（４）前記商品識別番号入力ページに、商品購入者端末から商品識別番号の入力を受けたときに、管理コンピュータにより当該商品識別番号が当選識別番号か否かをメモリ部から検索し、その当落結果を商品購入者端末に表示する手順と、
（５）前記商品識別番号が当選識別番号であった場合には、管理コンピュータにより景品の種類と景品発送申し込みページを商品購入者端末に表示する手順と、
（６）前記景品発送申し込みページに、商品購入者端末から景品届け先の住所及び氏名の入力を受けたときに、当該住所及び氏名に景品を発送する手順とを有することを特徴とする景品の提供方法。
【請求項２】
種類の異なる商品群に、商品識別番号とＱＲコードを表示することを特徴とする請求項１記載の景品の提供方法。
【請求項３】
（１）商品識別番号と、ＵＲＬを記録したＱＲコードとが表示された商品又は／及び商品パッケージの当該商品識別番号の中から商品出荷前に選定された当選識別番号を景品の種類と共に記録したメモリ部を備え、かつ
（２）前記商品の出荷後、商品購入者端末からＱＲコード入力によりアクセスを受けたときに、購入した商品の商品識別番号入力ページを商品購入者端末に表示する手段と、
（３）前記商品識別番号入力ページに、商品購入者端末から商品識別番号の入力を受けたときに、当該商品識別番号が当選識別番号か否かをメモリ部から検索し、その当落結果を商品購入者端末に表示する手段と、
（４）前記商品識別番号が当選識別番号である場合には、景品の種類と景品発送申し込みページを商品購入者端末に表示する手段と、
（５）前記景品発送申し込みページに、商品購入者端末から景品届け先の住所及び氏名の入力を受けたときに、景品発送部門に当該届け先を通知する手段とを有することを特徴とする景品の提供システム。
【発明の詳細な説明】
【技術分野】
【０００１】
本発明は、景品の提供方法及びシステム、更に詳細には購入商品に基づく景品応募者に対し、即座に当落結果を通知し、景品を発送する方法及びこれに用いるシステムに関する。
【背景技術】
【０００２】
従来より商品の販売促進のため、商品購入者の応募に対し、抽選を行なって当選者に各種の景品を進呈することが広く行なわれている。
然るとき、一般に景品の提供は、例えば特許文献１に示されているように、抽選くじ番号を表示した商品を販売し、予め定めた一定の期間経過後に抽選を行なって当選番号を発表し、当選番号が表示された商品購入者から景品の応募があった時に当該応募者に景品を発送することによって行なわれていた。
【０００３】
しかしながら、斯かる従来の景品の提供方法は、商品購入後、一定期間経過後において初めて当選番号が発表されるので、当該発表に気付かない場合や、発表に気付いても購入商品が当選しているか否かを確認しない購入者が多い結果、商品の販売促進にそれほど結び付かないのが実状であった。
【先行技術文献】
【特許文献】
【０００４】
【特許文献１】特開２００１−１８０６８９号公報
【発明の概要】
【発明が解決しようとする課題】
【０００５】
本発明は上記の如き従来の実状に鑑みてなされたものであり、商品購入者が応募と同時に当落を確認することができると共に、当選した場合には確実に景品を受領することができる方法及びシステムを提供することを課題としている。
【課題を解決するための手段】
【０００６】
本発明者は、当該課題を解決すべく、種々検討を重ねた結果、商品販売後抽選するのではなく、予め抽選して当選番号を選定した後販売すると共に、ＱＲコードとインターネット回線を利用して商品購入者からアクセスを受ければ、即座に当落結果を通知することができることを見い出し、本発明を完成した。
【０００７】
すなわち本発明は、
（１）商品識別番号と、ＵＲＬが記録されたＱＲコードとを商品又は／及び商品パッケージに表示する手順と、
（２）前記商品識別番号の中から当選識別番号を選定し、景品の種類と共に、管理コンピュータのメモリ部に記録した後、商品を出荷する手順と、
（３）前記商品の出荷後、商品購入者端末からＱＲコード入力によりアクセスを受けたときに、管理コンピュータにより購入した商品の商品識別番号入力ページを商品購入者端末に表示する手順と、
（４）前記商品識別番号入力ページに、商品購入者端末から商品識別番号の入力を受けたときに、管理コンピュータにより当該商品識別番号が当選識別番号か否かをメモリ部から検索し、その当落結果を商品購入者端末に表示する手順と、
（５）前記商品識別番号が当選識別番号であった場合には、管理コンピュータにより景品の種類と景品発送申し込みページを商品購入者端末に表示する手順と、
（６）前記景品発送申し込みページに、商品購入者端末から景品届け先の住所及び氏名の入力を受けたときに、当該住所及び氏名に景品を発送する手順とを有することを特徴とする景品の提供方法により上記課題を解決したものである。
【０００８】
また本発明は、
（１）商品識別番号と、ＵＲＬを記録したＱＲコードとが表示された商品又は／及び商品パッケージの当該商品識別番号の中から商品出荷前に選定された当選識別番号を景品の種類と共に記録したメモリ部を備え、かつ
（２）前記商品の出荷後、商品購入者端末からＱＲコード入力によりアクセスを受けたときに、購入した商品の商品識別番号入力ページを商品購入者端末に表示する手段と、
（３）前記商品識別番号入力ページに、商品購入者端末から商品識別番号の入力を受けたときに、当該商品識別番号が当選識別番号か否かをメモリ部から検索し、その当落結果を商品購入者端末に表示する手段と、
（４）前記商品識別番号が当選識別番号である場合には、景品の種類と景品発送申し込みページを商品購入者端末に表示する手段と、
（５）前記景品発送申し込みページに、商品購入者端末から景品届け先の住所及び氏名の入力を受けたときに、景品発送部門に当該届け先を通知する手段とを有することを特徴とする景品の提供システムにより上記課題を解決したものである。
【発明の効果】
【０００９】
本発明によれば、商品購入者は応募と同時に当落を確認することができると共に、当選した場合には届け先を指定し、景品を確実に受領できるので、従来のような当選発表に気付かなかったり、当落の確認し忘れと云うことが生じないため、商品の販売促進の実効を上げることができる。
【図面の簡単な説明】
【００１０】
【図１】本発明の景品の提供システムの概略構成説明図。
【図２】本発明の景品の提供方法を示す概略フローチャート。
【発明を実施するための形態】
【００１１】
以下本発明の実施の形態を図面と共に説明する。
【００１２】
図１は本発明の景品の提供システムの概略構成説明図である。
当該図１において、１はシステム全体を統轄的に制御する管理コンピュータで、少なくとも商品識別番号と、ＵＲＬを記録したＱＲコードとが表示された商品又は／及び商品パッケージの当該商品識別番号の中から商品出荷前に選定された当該識別番号を景品の種類と共に記録したメモリ部２を備えている。また、この管理コンピュータ１には、インターネット４を介して商品購入者端末３が接続通信可能となっている。尚、商品購入者端末３としては特に限定されないが、携帯電話機が簡便である。
【００１３】
図２は本発明の景品の提供方法を示す概略フローチャートである。以下当該図２及び前記図１に基いて本発明方法を説明する。
【００１４】
まず、商品識別番号と、ＵＲＬが記録されたＱＲコードとを商品又は／及び商品パッケージに表示する（ステップ１０）。ここに商品識別番号は商品毎に決定された固有の記号であれば、その種類の如何を問わず、例えば数字、アルファベット、平仮名、片仮名等あるいはこれらの組み合せが用いられる。尚、商品識別番号とＱＲコードが表示される商品は、一種類に限らず取り扱っている種類の異なる商品群を対象とすれば、よりトータル的に商品の販売促進効果が得られる。また、ＱＲコードに、更に商品の種類や出荷日等の商品管理情報を記録せしめれば、商品購入者の応募により販売された商品についてそれらの情報を入手することもできる。
【００１５】
次に、前記識別番号の中から当選識別番号を選定する（ステップ１１）。ここに当選識別番号の選定は抽選方式に限らず、意識的に特定の番号を選定する非抽選方式であっても良い。
【００１６】
次に、選定した当選識別番号を、対応する景品の種類と共に管理コンピュータ１のメモリ部２に記録する（ステップ１２）。ここに景品は品物に限らず旅行等の特典であっても良い。
【００１７】
次に、ＱＲコードが表示された商品を出荷する（ステップ１３）。この出荷は通常のルートに従って行なえば良い。
【００１８】
次に、商品の購入者がその端末、すなわち商品購入者端末３にＱＲコードを入力すれば、ＱＲコードに記録されているＵＲＬ情報により、インターネット４を介して管理コンピュータ１にアクセスされる（ステップ１４）。
【００１９】
次に、アクセスを受けた管理コンピュータ１は、購入した商品の商品識別番号入力ページを商品購入者端末３に表示する（ステップ１５）。
【００２０】
次に、商品の購入者が当該商品識別番号入力ページに、商品購入者端末３により商品又は／及び商品パッケージに表示された商品識別番号を入力する（ステップ１６）と、管理コンピュータ１は、当該商品識別番号が当選識別番号か否かをメモリ部２から検索し（ステップ１７）、その当落結果を商品購入者端末３に表示する（ステップ１８）。尚、落選の場合はこの段階で終了する。
【００２１】
次に、当選識別番号であった場合に管理コンピュータ１は、景品の種類と景品発送申し込みページを商品購入者端末３に表示する（ステップ１９）。
【００２２】
次に、商品購入者が、当該商品購入者端末３により当該景品発送申し込みページに、景品届け先の住所及び氏名を入力する（ステップ２０）と、景品届け先情報を受けた管理コンピュータ１は、当該届け先情報を景品発送部門に通知し（ステップ２１）、通知を受けた発送部門は当該届け先に景品を発送する（ステップ２２）。
【００２３】
尚、上記景品発送申し込みページに、購入した商品や購入者に関するアンケートを掲示し、購入者に任意に回答を求めるようにすれば、商品の改良や販売促進に関する情報を入手することもできる。
【符号の説明】
【００２４】
１：管理コンピュータ
２：メモリ部
３：商品購入者端末
４：インターネット
【図１】
2011150562.tif 000003
【図２】
2011150562.tif 000004